(57)【要約】  本発明は、固定されたベアリング（３１，３２）と、異なる平面上に配置された単一ガイドプロファイルのレース（１１，１２）に作用する調整可能なベアリングとを備えるベアリングのセット含む、切断ヘッド（２）に関する。各調整可能なベアリング（３３）は、ロッカー（４）上に設置される。ロッカー（４）は、切断ヘッド（２）に固定されたシャフト（５）上に回転可能に設置された第１端部（４１）と、第２端部（４２）とを有する。第２端部（４２）は、前記ロッカー（４）の第２端部（４２）と前記切断ヘッド（２）のケースとの間に配置された弾性要素（６）を押す。弾性要素（６）は、単一ガイドプロファイル（１）のレース（１１，１２）に対するベアリング（３１，３２，３３）の圧力を決定する。
2019529158.tif 000002
【特許請求の範囲】
【請求項１】
単一ガイドカッタ用、特に単一ガイドプロファイル（１）に沿って移動することが可能な切断ヘッド（２）を備えたカッタ用の切断ヘッドのための自動調整装置であって、
前記切断ヘッド（１）の移動の方向に長手方向に位置合わせされかつ分離された固定されたベアリング（３１，３２）と、それに対して垂直な平面上に前記固定されたベアリング（３１，３２）間に配置された調整可能なベアリング（３３）とを備える、ベアリングのセットを含み、
前記固定されたベアリングおよび前記調整可能なベアリングは、前記単一ガイドプロファイル上に規定されかつ異なる平面上に配置された長手方向のレース（１１，１２）に作用し、
各調整可能なベアリング（３３）は、ロッカー（４）上に設置され、前記ロッカー（４）は、前記切断ヘッド（２）に固定されたシャフト（５）上に回転可能に設置された第１端部（４１）と、第２端部（４２）とを有し、前記第２端部（４２）は、前記ロッカー（４）の前記第２端部（４２）と前記切断ヘッド（２）のケースとの間に配置された弾性要素（６）を押し、前記弾性要素（６）は、前記単一ガイドプロファイル（１）の前記レース（１１，１２）に対する前記ベアリング（３１，３２，２２）の圧力を決定する、装置。
【請求項２】
前記切断ヘッド（２）は、その内部上かつ対向する側部上にベアリング（３１，３２，３３）のセットを備える、請求項１に記載の装置。
【発明の詳細な説明】
【技術分野】
【０００１】
本発明の対象
本発明の対象は、長手方向に移動する可能性があるように設置される単一ガイドプロファイルに対する切断ヘッドの自動調整を可能にすることを目的とする特性を有する、単一ガイドカッタ用の切断ヘッドのための自動調整装置である。
【０００２】
本発明の利用分野
この発明は、単一ガイドカッタの分野において、特に、限定されないが、手動のセラミックカッタに対して利用可能である。
【背景技術】
【０００３】
従来技術
単一ガイドプロファイルに沿って移動することが可能な切断ヘッドを有するセラミックカッタが、現在、市場で知られている。
【０００４】
前述のヘッドは、ガイド上に規定され、かつ垂直平面上に配置される長手方向レース上を移動するベアリングのセットを組み込む。
【０００５】
前記ベアリングのセットは、固定されたベアリングと、起こり得る形状のずれおよび公差が緩和されるように切断ヘッドの遊びを調整する機能を有する調整可能なベアリングとを備える。
【０００６】
調整可能なベアリングの調整は、ねじおよびロックナットのシステムによって行われ、ナットは、ヘッドの遊びを調整するために、ガイドに対して、２つの固定されたベアリング間に配置されたベアリングまたはモビールを押す。
【発明の概要】
【発明が解決しようとする課題】
【０００７】
この調整システムは、以下の欠点を有する。
・各操作者の基準および思慮に依存する手動の調整。
・ねじの適切な圧力を確立する難しさ。
・この操作のために必要とされる工具を用いてガイド上に切断ヘッドをセンタリングすることの難しさ。
・ガイドが切断ヘッドの経路に沿って有し得る寸法のずれに適合しない、固定された調整。
【０００８】
したがって、解決法が必要とされる課題は、前述の欠点を満足に解決する単一ガイドカッタの自動調整のための装置の開発である。
【課題を解決するための手段】
【０００９】
本発明の説明
先述の課題を解決するために、単一ガイドカッタのための自動調整装置、本発明の対象が設計された。単一カッタのための自動調整装置は、単一ガイドプロファイルに沿って移動する移動可能な切断ヘッドに含まれ、かつ固定されたベアリングと、単一ガイドプロファイル上に規定され異なる平面上に配置される長手方向のレースに作用する調整可能なベアリングとを含む、ベアリングのセットを備え、操作者が介入する必要なく、かつクランプねじおよびロックナットによる調整システムを要求することなく、ガイド上の調整可能なベアリングの圧力を一定に保つことを目指す特定の構造的な構成を有する。
【００１０】
本発明によれば、提示された目的を達成するために、各調整可能なベアリングはロッカー上に設置される。ロッカーは、切断ヘッドに固定されたシャフト上に回転可能に設置された第１端部と、第２端部とを有する。第２端部は、ロッカーの前記第２端部と切断ヘッドのケースとの間に配置された弾性要素を押す。
【００１１】
弾性要素によって与えられる圧力は、ロッカーの第２端部と切断ヘッドのケースとの間の自由空間およびその間に配置される弾性要素の大きさを制御する設計によって決定される。
【００１２】
さらに、この弾性要素による自動調節によって、切断ヘッドのベアリングは、ヘッドの経路に沿って正または負の不規則性を有するか否かにかかわらず、常にガイド上に適正な圧力を与える。
【００１３】
このように、遊びがガイドと切断ヘッドとの間で取り除かれると同時に、我々は、摺動するヘッドが良質かつ精密な接触を有することを実現する。
【００１４】
このシステムは、現在用いられるねじおよびロックナットの調整方法に対して一連の関連のある利点を提供し、特に、
・構成要素の数を減らす。
・操作者による手動の調整を要求しないため、時間と製造コストとを省く。
・圧力を調整するときに各操作者の思慮および基準に依存しない。
・切断ヘッドは、いかなる工具を用いる必要なく、自動的にガイドに体してセンタリングされる。
・使用者によるさらなる調整を要求しない。
・切断ヘッドの経路に沿ったガイドの、正および負両方の、起こり得る寸法のずれを緩和する。
・そこから突出する以前に用いられた調整ねじを省略することによって、切断ヘッドの美観を改善する。
【００１５】
説明に対する補足がなされるように、および本発明の特性をより容易に理解可能とすることを助ける目的のために、この明細書は、例示であって限定でない一連の図面が添付される。
【図面の簡単な説明】
【００１６】
【図１】本発明に係る単一ガイドプロファイルを備える手動のセラミックカッタおよび切断ヘッドのための自動調整装置の概略斜視図である。
【図２】自動調整装置である本発明の対象が示され得る、垂直平面の断面における切断ヘッドおよび単一ガイドプロファイルの前部の詳細図である。
【図３】単一ガイドの側部のうちの１つに作用することが意図され、本発明の自動調整装置を作り上げるベアリングのセットのうちの１つを示す、垂直平面の断面における切断ヘッドの部分立面図である。
【発明を実施するための形態】
【００１７】
図１に示される例示の実施形態は、長手方向に移動する可能性のある切断ヘッド（２）が設置された単一ガイド（１）を備えた手動のセラミックカッタを示す。
【００１８】
図２および図３で見られるように、切断ヘッド（２）は、２つの対向する側部の内部かつ側部上にベアリングのセットを備える。その各一は、切断ヘッド（１）の移動の方向に長手方向に位置合わせされかつ分離された一対の固定されたベアリング（３１，３２）と、２つの先のものの間かつそれに対して垂直な平面上に配置された調整可能なベアリング（３３）とを備える。
【００１９】
固定されたベアリング（３１，３２）は、ガイドプロファイル（１）の対応する側のレース（１１）に当接し、調整可能なベアリング（３３）は、先のものに対して垂直でありかつガイドプロファイル（１）の同じ側に対応するレース（１２）に当接する。
【００２０】
各調整可能なベアリング（３３）は、ロッカー（４）上に設置される。ロッカー（４）は、切断ヘッド（１）に固定されたシャフト（５）上に回転可能に設置された第１端部（４１）と、第２端部（４２）とを有する。第２端部（４２）は、ロッカーの第２端部（４２）と切断ヘッド（１）のケースとの間に配置された弾性要素（６）を押す。
【００２１】
弾性要素（６）およびロッカー（４）の寸法は、操作者による介入または調整が必要とされることなく、調整可能なベアリング（３３）が単一ガイドプロファイル（１）の対応するガイド（１２）に対して特定の圧力を与えるように計算される。
【００２２】
好ましい実施形態の例に加えて、本発明の特質を十分に説明したことにより、以下の本発明の請求の本質的な特性を変えることを示唆しないという条件で、関連する目的のために、説明された要素の材料、形状、大きさ、およびレイアウトが修正され得ることが述べられる。
【図１】
2019529158.tif 000003
【図２】
2019529158.tif 000004
【図３】
2019529158.tif 000005
【国際調査報告】
2019529158.tif 000006
2019529158.tif 000007
2019529158.tif 000008
2019529158.tif 000009
2019529158.tif 000010
2019529158.tif 000011
2019529158.tif 000012
2019529158.tif 000013